(57)【要約】      （修正有）【課題】２．５インチ用と３．５インチ用の２種類の異なるサイズの記憶装置で枠体を兼用できるようにするリムーバブルケースを提供する。【解決手段】記憶装置の枠体（リムーバブルケース１）は、記憶装置を取り付けられ、電子機器に挿抜可能に搭載される枠体であって、伸縮自在な伸縮部（アームベース）２００、アーム伸縮機構１１０を備え、伸縮部が縮状態である第１の形態において第１の記憶装置（２．５インチＨＤＤ）が取り付けられ、伸縮部が伸状態である第２の形態において第２の記憶装置（３．５インチＨＤＤ）２ｂが取り付けられる。【選択図】図４
2017049855.tif 000002
【特許請求の範囲】
【請求項１】
記憶装置を取り付けられ、電子機器に挿抜可能に搭載される枠体であって、
伸縮自在な伸縮部を備え、
前記伸縮部が縮状態である第１の形態において第１の記憶装置が取り付けられ、
前記伸縮部が伸状態である第２の形態において第２の記憶装置が取り付けられることを特徴とする、記憶装置の枠体。
【請求項２】
前記第１記憶装置および第２の記憶装置おける第１の面に沿う第１アームと、
前記第１アームと平行に配設され、前記第１アームと前記第１記憶装置および第２の記憶装置における第２の面に沿う第２アームとを備え、
前記伸縮部が、前記第１アームと前記第２アームとの距離を伸縮することを特徴とする、請求項１記載の記憶装置の枠体。
【請求項３】
前記伸縮部が、前記第１アームおよび前記第２アームの長さを伸縮することを特徴とする、請求項２記載の記憶装置の枠体。
【請求項４】
前記伸縮部の伸状態において、前記第１の記憶装置の外形領域と前記第２の記憶装置の外形領域との差分領域に展開される拡張パネルを備えることを特徴とする、請求項１〜３のいずれか１項に記載の記憶装置の枠体。
【発明の詳細な説明】
【技術分野】
【０００１】
本発明は、記憶装置の枠体に関する。
【背景技術】
【０００２】
ハードディスク（ＨＤＤ：Hard Disk Drive）をサーバ等の情報処理装置に取り付けるために、リムーバブルケースが用いられている。リムーバブルケースは、例えばＨＤＤの外周を環囲する枠形状を有し、ＨＤＤをこのリムーバブルケースに取り付け、このリムーバブルケースごと情報処理装置に形成されたスロットに挿抜する。
図２５は２．５インチのＨＤＤを取り付けたリムーバブルケースを搭載可能なディスクエンクロージャの外観を示す斜視図、図２６は２．５インチのＨＤＤを取り付けたリムーバブルケースを搭載したディスクエンクロージャの外観を示す斜視図である。
【０００３】
図２５に示すように、箱形状を有するディスクエンクロージャ５００の一面には開口５０１が形成されている。そして、図２６に示すように、この開口５０１から、ＨＤＤが固定された複数のリムーバブルケース５１０ａを立てた状態で、開口５０１の長手方向に沿って並べて搭載される。
このようなリムーバブルケースを用いることで、ＨＤＤを情報処理装置に容易に活性挿抜を行なうことができる。
【０００４】
なお、リムーバブルケースは、例えば、ＨＤＤキャリアやＨＤＤトレイ，ＨＤＤ活性枠と呼ばれることもある。
また、一般に、ＨＤＤとしては、２．５インチＨＤＤの他に３．５インチＨＤＤも用いられており、ディスクエンクロージャには、このような３．５インチＨＤＤを取り付けたリムーバブルケースも挿入することができる。
【０００５】
図２７は３．５インチのＨＤＤを取り付けたリムーバブルケースを搭載したディスクエンクロージャの外観を示す斜視図である。
３．５インチのＨＤＤは２．５インチのＨＤＤよりも大きいので、図２５に示したディスクエンクロージャ５００には、３．５インチＨＤＤを取り付けたリムーバブルケース５１０ｂを立てた状態では挿入することができない。そこで、図２７に示す例においては、ディスクエンクロージャ５００内に、３．５インチＨＤＤを取り付けたリムーバブルケース５１０ｂを横にして積み重ねるようにして、ディスクエンクロージャ５００内に並べて搭載している。
【先行技術文献】
【特許文献】
【０００６】
【特許文献１】特開２０１１−５４２５２号公報
【特許文献２】特開２００８−１０８４０５号公報
【発明の概要】
【発明が解決しようとする課題】
【０００７】
従来のディスクエンクロージャにおいては、これらの２．５インチ用と３．５インチ用との２種類のリムーバブルケースを用意しなければならない。
１つの側面では、本発明は、異なるサイズの記憶装置間で枠体を兼用できるようにすることを目的とする。
【課題を解決するための手段】
【０００８】
このため、この記憶装置の枠体は、記憶装置を取り付けられ、電子機器に挿抜可能に搭載される枠体であって、伸縮自在な伸縮部を備え、前記伸縮部が縮状態である第１の形態において第１の記憶装置が取り付けられ、前記伸縮部が伸状態である第２の形態において第２の記憶装置が取り付けられる。
【発明の効果】
【０００９】
一実施形態によれば、異なるサイズの記憶装置間で枠体を兼用できる。
【図面の簡単な説明】
【００１０】
【図１】実施形態の一例としてのリムーバブルケースの第１の態様を示す斜視図である。
【図２】実施形態の一例としてのリムーバブルケースの第２の態様を示す斜視図である。
【図３】実施形態の一例としての第１の態様のリムーバブルケースに２．５インチＨＤＤを取り付けた状態を示す斜視図である。
【図４】実施形態の一例としての第２の態様のリムーバブルケースに３．５インチＨＤＤを取り付けた状態を示す斜視図である。
【図５】実施形態の一例としてのリムーバブルケースにおける第１拡張パネルの構成を説明する部分斜視図である。
【図６】実施形態の一例としてのリムーバブルケースにおける第１拡張パネルの構成を説明する部分斜視図である。
【図７】実施形態の一例としてのリムーバブルケースにおける第２拡張パネルの構成を説明する部分斜視図である。
【図８】実施形態の一例としてのリムーバブルケースにおける第２拡張パネルの構成を説明する部分斜視図である。
【図９】実施形態の一例としてのリムーバブルケースにおける第２拡張パネルのスライドパネルを展開した状態を示す図である。
【図１０】実施形態の一例としてのリムーバブルケースにおける第２拡張パネルのガイドパネルの構成を示す斜視図である。
【図１１】実施形態の一例としてのリムーバブルケースにおける第２拡張パネルのスライドパネルの構成を示す斜視図である。
【図１２】実施形態の一例としてのリムーバブルケースの変形手順を説明するための図である。
【図１３】実施形態の一例としてのリムーバブルケースの変形手順を説明するための図である。
【図１４】実施形態の一例としてのリムーバブルケースの変形手順を説明するための図である。
【図１５】実施形態の一例としてのリムーバブルケースの変形手順を説明するための図である。
【図１６】実施形態の一例としてのリムーバブルケースの変形手順を説明するための図である。
【図１７】実施形態の一例としてのリムーバブルケースの変形手順を説明するための図である。
【図１８】実施形態の一例としてのリムーバブルケースの変形手順を説明するための図である。
【図１９】実施形態の一例としてのリムーバブルケースの変形手順を説明するための図である。
【図２０】実施形態の一例としてのリムーバブルケースの変形手順を説明するための図である。
【図２１】実施形態の一例としてのリムーバブルケースの変形手順を説明するための図である。
【図２２】実施形態の一例としてのリムーバブルケースの変形手順を説明するための図である。
【図２３】実施形態の一例としてのリムーバブルケースの変形手順を説明するための図である。
【図２４】実施形態の一例としてのリムーバブルケースの変形手順を説明するための図である。
【図２５】２．５インチのＨＤＤを取り付けたリムーバブルケースを搭載可能なディスクエンクロージャの外観を示す斜視図である。
【図２６】２．５インチのＨＤＤを取り付けたリムーバブルケースを搭載したディスクエンクロージャの外観を示す斜視図である。
【図２７】３．５インチのＨＤＤを取り付けたリムーバブルケースを搭載したディスクエンクロージャの外観を示す斜視図である。
【発明を実施するための形態】
【００１１】
以下、図面を参照して本記憶装置の枠体に係る実施の形態を説明する。ただし、以下に示す実施形態はあくまでも例示に過ぎず、実施形態で明示しない種々の変形例や技術の適用を排除する意図はない。すなわち、本実施形態を、その趣旨を逸脱しない範囲で種々変形して実施することができる。又、各図は、図中に示す構成要素のみを備えるという趣旨ではなく、他の機能等を含むことができる。
【００１２】
本リムーバブルケース１は、被固定物を着脱自在に取り付けられ、この被固定物が取り付けられた状態で、電子装置に着脱自在に搭載される枠体（取付枠）である。
そして、本リムーバブルケース１は、第１の態様（図１参照）と第２の態様（図２参照）との２つの態様を選択的にとらせることができる。
本リムーバブルケース１は、第１の態様においては第１の被固定物が取り付けられ、第２の態様においては、第１の被固定物よりも大きいサイズを有する第２の被固定物が取り付けられる。
【００１３】
以下、第１のサイズの被固定物が２．５インチＨＤＤ２ａ（図３参照）であり、第２のサイズの被固定物が３．５インチＨＤＤ２ｂ（図４参照）である例について示す。そして、本リムーバブルケース１は、これらのＨＤＤ２ａ，２ｂが取り付けられた状態で、図２５に例示したようなディスクエンクロージャ（電子装置）５００に着脱自在に搭載される。
【００１４】
図１は実施形態の一例としてのリムーバブルケースの第１の態様を示す斜視図、図２はそのリムーバブルケースの第２の態様を示す斜視図である。
図１に示すように、リムーバブルケース１は、第１アーム１００ａ，第２アーム１００ｂ，アームベース２００およびフロントパネル部３００を備える。
第１アーム１００ａは長直方体形状を有するアームベース２００における長手方向の一端に取り付けられている。また、第２アーム１００ｂは、アームベース２００における第１アーム１００ａとは反対側端部に取り付けられている。これらの第１アーム１００ａと第２アーム１００ｂとは互いに平行に配置されている。
【００１５】
第１アーム１００ａと第２アーム１００ｂとは互いに略同様の構成を有しており、図１および図２に示すように、それぞれスライドベース１０１とスライドアーム１０２とを備える。
スライドベース１０１は矩形の長板形状を有し、図２に示すように、その長手方向の一端側に長手方向に沿って１つ以上（図２に示す例では２つ）のガイド溝１０１１が形成されている。これらの２つのガイド溝１０１１は互いに平行に形成されている。
【００１６】
スライドアーム１０２も、スライドベース１０１と同様に矩形の長板形状を有し、図２に示すように、その長手方向の一端側に長手方向に沿って、スライドベース１０１のガイド溝１０１１と同数のアームレール１０２１が突出している。これらの２つのアームレール１０２１が互いに平行に突出している。そして、スライドアーム１０２の各アームレール１０２１は、スライドベース１０１のガイド溝１０１１に摺動自在に挿入されている。
【００１７】
これにより、第１アーム１００ａおよび第２アーム１００ｂにおいては、スライドアーム１０２が、そのアームレール１０２１をスライドベース１０１のガイド溝１０１１に案内されながら、スライドベース１０１に対して、近接する方向と離隔する方向とにそれぞれ移動可能に構成されている。
すなわち、第１アーム１００ａおよび第２アーム１００ｂは、それぞれ伸縮自在に構成されている。
【００１８】
以下、第１アーム１００ａおよび第２アーム１００ｂにおける、スライドアーム１０２のアームレール１０２１と、スライドベース１０１のガイド溝１０１１との組み合わせをアーム伸縮機構１１０という。
本リムーバブルケース１においては、前述した第１態様においては、第１アーム１００ａおよび第２アーム１００ｂは、スライドアーム１０２がスライドベース１０１に最も近づいた縮状態となる。また、前述した第２態様においては、第１アーム１００ａおよび第２アーム１００ｂは、スライドアーム１０２がスライドベース１０１から最も遠ざかる伸状態となる。
【００１９】
なお、伸状態の第１アーム１００ａおよび第２アーム１００ｂの各長さは、本リムーバブルケース１の取り付け先であるディスクエンクロージャ５００における奥行き寸法に合わせて設定される。
また、スライドベース１０１およびスライドアーム１０２のそれぞれには、第１ネジ穴１０３と第２ネジ穴１０４とが形成されている。
【００２０】
第１ネジ穴１０３は、本リムーバブルケースに２．５インチＨＤＤ２ａをネジ１０５（図１３参照）を用いて固定するために用いられ、２．５インチＨＤＤ２ａに形成された固定用ネジ穴（図示省略）の位置に合わせて形成されている。
また、第２ネジ穴１０４は、本リムーバブルケースに３．５インチＨＤＤ２ｂをネジ１０５（図２３参照）を用いて固定するために用いられ、３．５インチＨＤＤ２ｂに形成された固定用ネジ穴（図示省略）の位置に合わせて形成されている。
【００２１】
アームベース２００は、矩形断面を有する長筒状のベースガイド２０１と、ベースガイド２０１に内接し、このベースガイド２０１に案内されるベースレール２０２とを備え、ベースレール２０２はベースガイド２０１に案内された状態で摺動可能に構成されている。
すなわち、ベースレール２０２をベースガイド２０１から引き出すことにより、アームベース２００が伸長し、ベースレール２０２をベースガイド２０１に収納させることにより、アームベース２００が収縮する。このように、アームベース２００は伸縮自在に構成され、ベースレール２０２とベースガイド２０１とが伸縮機構を実現している。
【００２２】
これにより、アームベース２００は、前述した第１態様においては、ベースレール２０２がベースガイド２０１に収納された縮状態となる。また、前述した第２態様においては、ベースレール２０２がベースガイド２０１から引き出され、突出した伸状態となる。
また、ベースレール２０２におけるベースガイド２０１から突出した端部に、第１アーム１００ａのスライドベース１０１におけるスライドアーム１０２とは反対側の端部が固定されている。
【００２３】
一方、ベースガイド２０１におけるベースレール２０２が突出する側とは反対側の端部に、第２アーム１００ｂのスライドベース１０１におけるスライドアーム１０２とは反対側の端部が固定されている。
これにより、アームベース２００の伸縮に伴い、第１アーム１００ａと第２アーム１００ｂとの距離（間隔）も伸縮する。すなわち、前述した第１態様において、ベースレール２０２がベースガイド２０１に収納された縮状態となると、第１アーム１００ａと第２アーム１００ｂとの間隔は短くなる。その一方で、前述した第２態様において、ベースレール２０２がベースガイド２０１から突出した伸状態となると、第１アーム１００ａと第２アーム１００ｂとの間隔は長くなる。
【００２４】
なお、アームベース２００の伸縮に伴い、第１アーム１００ａと第２アーム１００ｂとは互いに平行なまま、その距離が変更される。
なお、アームベース２００の伸状態においては、第１アーム１００ａと第２アーム１００ｂとの間隔が３．５インチＨＤＤ２ｂの幅方向長さとほぼ同等、もしくは若干長くなるように構成されている。
【００２５】
また、伸状態のアームベース２００の長さは、本リムーバブルケース１の取り付け先であるディスクエンクロージャ５００における寸法に合わせて設定される。
図３は実施形態の一例としてのリムーバブルケース１に２．５インチＨＤＤ２ａを取り付けた状態を示す斜視図である。
この図３に示すように、上述した第１の態様のリムーバブルケース１において、アームベース２００，第１アーム１００ａおよび第２アーム１００ｂによって囲まれて形成される空間内に２．５インチＨＤＤ２ａを配置し、第１アーム１００ａ，第２アーム１００ｂの第１ネジ穴１０３を介してこの２．５インチＨＤＤ２ａをネジ１０５（図１３および図２３参照）を用いて固定する。これにより、第１の態様のリムーバブルケース１に２．５インチＨＤＤ２ａが取り付けられる。
【００２６】
図４は実施形態の一例としてのリムーバブルケース１に３．５インチＨＤＤ２ｂを取り付けた状態を示す斜視図である。
この図４に示すように、上述した第２の態様のリムーバブルケース１において、アームベース２００，第１アーム１００ａおよび第２アーム１００ｂに囲まれて形成される空間内に３．５インチＨＤＤ２ｂを配置し、第１アーム１００ａ，第２アーム１００ｂの第２ネジ穴１０４を介してこの３．５インチＨＤＤ２ｂをネジ１０５を用いて固定する。これにより、第２の態様のリムーバブルケース１に３．５インチＨＤＤ２ｂが取り付けられる。
【００２７】
以下、図３および図４に示すように、本リムーバブルケース１における、第１アーム１００ａ（第２アーム１００ｂ）に沿う方向を前後方向といい、そのスライドベース１０１側を後方、アームベース２００側を前方という。従って、第１アーム１００ａおよび第２アーム１００ｂのアーム伸縮機構１１０は、前後方向に沿って伸縮する。
また、本リムーバブルケース１における、アームベース２００に沿う方向を上下方向といい、特に、第１アーム１００ａ側を上方、第２アーム１００ｂ側を下方という。従って、アームベース２００は、上下方向に沿って伸縮する。
【００２８】
さらに、リムーバブルケース１において取り付けられたＨＤＤ２ａ，２ｂの厚さ方向を、左右方向という（図３および図４参照）。
なお、第２の態様において、３．５インチＨＤＤ２ｂの厚さは第１アーム１００ａおよび第２アーム１００ｂの左右方向寸法よりも大きい。３．５インチＨＤＤ２ｂは、第１アーム１００ａおよび第２アーム１００ｂの左右方向における一方（図４に示す例では図中左側）の端面に揃えて取り付けられ、３．５インチＨＤＤ２ｂにおける反対側端面は、第１アーム１００ａおよび第２アーム１００ｂから突出している。
【００２９】
以下、リムーバブルケース１における左右方向のうち、第２の態様において３．５ＨＤＤ２ｂが第１アーム１００ａおよび第２アーム１００ｂから突出する側を、便宜上、右側という（図３および図４参照）。
フロントパネル部３００は、レバー部３３０を備え、アームベース２００における第１アーム１００ａおよび第２アーム１００ｂが突出する側とは反対側面に配置されている。フロントパネル部３２００は、本リムーバブルケース１がディスクエンクロージャ５００に搭載された状態で、リムーバブルケース１をディスクエンクロージャ５００内に固定する、図示しないロック機構を有する。
【００３０】
フロントパネル部３００は、本リムーバブルケース１がディスクエンクロージャ５００に搭載された状態で開口５０１から露出する位置にレバー部３３０を備え、オペレータがこのレバー部３３０を操作することで、ディスクエンクロージャ５００とのロック解除を行ない、本リムーバブルケース１をディスクエンクロージャ５００から取り外すことが可能となる。なお、このロック機構としては既知の種々の手法を用いることができ、その説明は省略する。
【００３１】
また、フロントパネル部３００は、第１拡張パネル３１０と第２拡張パネル３２０とを備える。これらの第１拡張パネル３１０および第２拡張パネル３２０は、本リムーバブルケース１の第２の態様において用いられる。
これらの第１拡張パネル３１０および第２拡張パネル３２０は、アームベース２００の伸状態において、２．５インチＨＤＤ２ａの外形領域と３．５インチＨＤＤ２ｂの外形領域との差分領域に展開される。
【００３２】
図５および図６実施形態の一例としてのリムーバブルケース１における第１拡張パネル３１０の構成を説明する部分斜視図である。図５においては第１拡張パネル３１０の展開途中の状態を示し、図６においては第１拡張パネル３１０の展開状態を示す。
第１拡張パネル３１０は、矩形の長板形状を有し、フロントパネル部３００における前側面に隣接して、上下方向に沿って配置される。この第１拡張パネル３１０は、フロントパネル部３００における前側面に沿って配置された軸３１０１によりヒンジ接続され、この軸３１０１を中心に回動可能に構成されている。これにより、第１拡張パネル３１０は、軸３１０１を中心に展開・折り畳み自在に構成される。第１拡張パネル３１０の折り畳み状態においては、第１拡張パネル３１０は、フロントパネル部３００の前面と直交する側面（右側面）に沿って配設される（図１参照）。一方、第１拡張パネル３１０の展開状態においては、第１拡張パネル３１０は、フロントパネル部３００の前面と面一となるように配設されている（図２参照）。
【００３３】
図７および図８はいずれも実施形態の一例としてのリムーバブルケース１における第２拡張パネル３２０の構成を説明する部分斜視図であり、図７はその折り畳み状態を示す図、図８はその分解斜視図である。
第２拡張パネル３２０は、フロントパネル部３００の上方に配置されている。第２拡張パネル３２０は、図８に示すように、ガイドパネル３２１，スライドパネル３２２および軸３２０１を備える。
【００３４】
フロントパネル部３００の上部位置においては、その前側面に沿って一対のかまぼこ状の軸受け突起３３１，３３１が所定の間隔を隔てて突出している。また、これらの軸受け突起３３１には、それぞれ左右方向に連通する穴３３１１が形成されている。また、ガイドパネル３２１には、上述した一対の軸受け突起３３１，３３１間の距離よりも若干短い長さを有するかまぼこ状の軸受け突起３２１１が形成され、この軸受け突起３２１１には、その長さ方向に穴３２１２が形成されている。そして、図７に示すように、一対の軸受け突起３３１，３３１の間に軸受け突起３２１１を、各穴３３１１と穴３２１２とが連通するように配置した状態で、これらの穴３３１１，３２１２を軸３２０１によって貫通させる。これにより、第２拡張パネル３２０は、フロントパネル部３００の上面にヒンジ接続される。
【００３５】
すなわち、第２拡張パネル３２０は、フロントパネル部３００の上側において、フロントパネル部３００における前側面に沿って配置された軸３２０１によりヒンジ接続され、展開・折り畳み自在に構成される。第２拡張パネル３２０の折り畳み状態においては、第２拡張パネル３２０は、フロントパネル部３００の上面に沿って配設される（図７参照）。一方、第２拡張パネル３２０の展開状態においては、第２拡張パネル３２０は、フロントパネル部３００の前面と面一となるように立設される（図４参照）。
【００３６】
また、図８に示すように、フロントパネル部３００の上面においては、一対の軸受け突起３３１の中間位置に、その上面と平行に弾性板３３２が配置されており、この弾性板３３２には、軸受け突起３２１１と対向する位置に突起３３２１が形成されている。さらに、図７に示すように、軸受け突起３２１１における、かまぼこ形状の頂部位置であって、突起３３２１と対向する位置には穴３２１３が形成されている。
【００３７】
これにより、第２拡張パネル３２０の展開状態において、軸受け突起３２１１の穴３２１３に弾性板３３２の突起３３２１が侵入して係合する。すなわち、第２拡張パネル３２０は、展開され直立した状態で、軸受け突起３２１１の穴３２１３に弾性板３３２の突起３３２１が係合することで固定される。
なお、第２拡張パネル３２０の折り畳み状態と展開状態との遷移過程においては、弾性板３３２が弾性変形することで、軸受け突起３２１１の穴３２１３と弾性板３３２の突起３３２１との係合／離脱を妨げない。
【００３８】
図９〜図１１はいずれも実施形態の一例としてのリムーバブルケース１における第２拡張パネル３２０のガイドパネル３２１とスライドパネル３２２との関係を説明するための斜視図である。なお、図９はそのスライドパネル３２２を展開した状態を示す図、図１０はそのガイドパネル３２１の構成を示す斜視図、図１１はそのスライドパネル３２２の構成を示す斜視図である。
【００３９】
図１０に示すように、ガイドパネル３２１は、矩形板３２１６を備え、この矩形板３２１６の一の辺には、矩形板３２１６と直交する桟３２１７ａが突出するように形成されている。また、矩形板３２１６における、桟３２１７ａが形成された辺と対向する辺には、矩形板３２１６と直交し、桟３２１７ａと対向する桟３２１７ｂが突出するように形成されている。
【００４０】
桟３２１７ａにおける桟３２１７ｂと対向する面には、矩形板３２１６に沿って案内溝３２１４ａが形成されており、これにより、桟３２１７ａにおける矩形板３２１６とは反対側には係止爪３２１５ａが桟３２１７ｂに向かって突出している。また、桟３２１７ａにおける案内溝３２１４ａが形成されている面とは反対側には、軸受け突起３２１１が突出している。
【００４１】
一方、桟３２１７ｂにおける桟３２１７ａと対向する側の面には、案内溝３２１４ａと平行に案内溝３２１４ｂが形成されており、これにより、桟３２１７ｂにおける矩形板３２１６とは反対側には係止爪３２１５ｂが桟３２１７ａに向かって突出している。
スライドパネル３２２は、ガイドパネル３２１とほぼ同じ形状の矩形の板形状を有し、その対向する一対の辺がガイドパネル３２１の案内溝３２１４ａ，３２１４ｂに摺動可能に案内される。これにより、ガイドパネル３２１は、スライドパネル３２２を擦動自在に掴持する。
【００４２】
以下、図８に示すように、スライドパネル３２２がガイドパネル３２１と重合した状態をスライドパネル３２２の収納状態もしくは閉状態という。これに対して、図９に示すように、スライドパネル３２２がガイドパネル３２１から引き出された状態をスライドパネル３２２の展開状態もしくは開状態という。
スライドパネル３２２においては、案内溝３２１４ａ，３２１４ｂによって案内される各辺に沿って、切り欠き３２２１がそれぞれ形成されており（図９参照）、案内溝３２１４ａ，３２１４ｂに沿って突出する係止爪３２１５ａ，３２１５ｂが、これらの切り欠き３２２１に係合する。これにより、ガイドパネル３２１からスライドパネル３２２が脱落することを阻止する。
【００４３】
また、図１０に示すように、案内溝３２１４ａにおいては、その左右方向の各端部付近に、穴３２１３が形成されている。一方、スライドパネル３２２における案内溝３２１４ａに案内される側の面には、その左側端部付近に、図１１に示すように、突起３２２２が形成されている。
この突起３２２２は、スライドパネル３２２の収納状態において、案内溝３２１４ａにおける左側の穴３２１３に侵入して係合し、スライドパネル３２２の展開状態においては、案内溝３２１４ａにおける右側の穴３２１３に侵入して係合する。
【００４４】
すなわち、第２拡張パネル３２０において、スライドパネル３２２は、その収納状態と展開状態のそれぞれの状態において、案内溝３２１４ａの穴３２１３にスライドパネル３２２の突起３２２２が係合することで、固定される。
なお、スライドパネル３２２およびガイドパネル３２１は弾性材料により形成されることが望ましい。これにより、スライドパネル３２２の展開状態と閉状態との遷移過程において、突起３２２２やスライドパネル３２２，ガイドパネル３２１のいずれかが弾性変形することで、ガイドパネル３２１の穴３２１３とスライドパネル３２２の突起３２２２との係合／離脱を妨げない。
【００４５】
上述の如く構成された、実施形態の一例としてのリムーバブルケース１の変形手順を、図１２〜図２４を用いて説明する。
以下においては、２．５インチＨＤＤ２ａが取り付けられた第１の態様のリムーバブルケース１を変形させて第２の態様にして、３．５インチＨＤＤ２ｂを取り付ける手順を示す。
【００４６】
図１２においては、２．５インチＨＤＤ２ａが取り付けられた第１の態様のリムーバブルケース１を示している。
ステップ１：図１２に示す状態において、各第１ネジ穴１０３から２．５インチＨＤＤ２ａの固定に用いられているネジ１０５をそれぞれ取り外す（図１３参照）。
ステップ２：リムーバブルケース１から２．５インチＨＤＤ２ａを取り外す（図１４参照）。
【００４７】
ステップ３：第１アーム１００ａおよび第２アーム１００ｂにおいて、スライドベース１０１からスライドアーム１０２をそれぞれ後方に引き出す。これにより第１アーム１００ａおよび第２アーム１００ｂがそれぞれ延長される（図１５参照）。
ステップ４：ベースガイド２０１からベースレール２０２を引き出すことで、第１アーム１００ａを第２アーム１００ｂから離隔する（図１６参照）。
【００４８】
ステップ５：フロントパネル部３００において、第１拡張パネル３１０を軸３１０１を中心に回動させて展開させる（図１７参照）。
ステップ６：第１拡張パネル３１０を展開して、フロントパネル部３００の前面と面一の状態にする（図１８参照）。
ステップ７：フロントパネル部３００において、第２拡張パネル３２０を軸３２０１を中心に回動させて展開させる（図１９参照）。
【００４９】
ステップ８：第２拡張パネル３２０を展開して、フロントパネル部３００の前面と面一の状態にする（図２０参照）。
ステップ９：スライドパネル３２２をガイドパネル３２１から引き出して展開状態にする（図２１参照）。
ステップ１０：第１アーム１００ａと第２アーム１００ｂとの間に３．５インチＨＤＤ２ｂを挿入する（図２２参照）。
【００５０】
ステップ１１：第１アーム１００ａおよび第２アーム１００ｂのそれぞれに対して、各第２ネジ穴１０４を介してネジ１０５を用いて３．５インチＨＤＤ２ｂを固定する（図２３参照）。
以上の手順により３．５インチＨＤＤ２ｂが取り付けられたリムーバブルケース１（図２４参照）を、ディスクエンクロージャ５００のスロットに取り付ける。
【００５１】
このように、本発明の一実施形態としてのリムーバブルケース１によれば、第１アーム１００ａおよび第２アーム１００ｂがそれぞれアーム伸縮機構１１０を備え、また、アームベース２００も伸縮自在に構成されている。
そして、これらのアームベース２００，第１アーム１００ａおよび第２アーム１００ｂを伸縮させることで、第１の態様（図１参照）と第２の態様（図３参照）との２つの態様を選択的にとらせることができる。
【００５２】
第１の態様のリムーバブルケース１には２．５インチＨＤＤ２ａを取り付けることができ、第２の態様のリムーバブルケース１には３．５インチＨＤＤ２ｂを取り付けることができる。すなわち、１つのリムーバブルケース１に２種類の被固定物を取り付けることができる。これにより、２．５インチＨＤＤ２ａと３．５インチＨＤＤ２ｂとでリムーバブルケース１を兼用し共通化することができ、製造コストを低減することができる。
【００５３】
第２の態様のリムーバブルケース１においては、第１拡張パネル３１０および第２拡張パネル３２０を展開状態に変形させる。これにより、ディスクエンクロージャ５００に搭載された際に、冷却風の通風抵抗を生じさせることができ、また、ＥＭＩ（Electromagnetic interference）面でのシールド効果を生じさせることもできる。さらに、オペレータの指や異物等の侵入を物理的に阻止することができ、安全性を向上させることができる。
【００５４】
そして、本発明は上述した実施形態に限定されるものではなく、本発明の趣旨を逸脱しない範囲で種々変形して実施することができる。
例えば、上述した実施形態においては、リムーバブルケース１に、被固定物として、記憶装置である２．５インチＨＤＤ２ａおよび３．５インチＨＤＤ２ｂを取り付ける例について示したが、これに限定されるものではない。ＨＤＤの代わりにＳＳＤを取り付けてもよい。すなわち、リムーバブルケース１にこれらのサイズ以外の記憶装置を取り付けてもよく、また、記憶装置以外の装置を取り付けてもよい。
【００５５】
また、上述した実施形態において、第１アーム１００ａおよび第２アーム１００ｂのアーム伸縮機構１１０は、上述した構成に限定されるものではない。
例えば、アーム伸縮機構１１０を構成するガイド溝１０１１およびアームレール１０２１の数は、２つに限定されるものではなく、１つもしくは３つ以上であってもよい。また、アーム伸縮機構１１０は、ガイド溝１０１１とアームレール１０２１との組み合わせに代えて、テレスコピックパイプや、層と層が互いにスライドする積層構造等のような、他の伸縮機構により伸縮を実現してもよい。
【００５６】
また、上述した実施形態において、アームベース２００のベースレール２０２およびベースガイド２０１が伸縮機構を実現しているが、これに限定されるものではない。アームベース２００においても、第１アーム１００ａおよび第２アーム１００ｂのアーム伸縮機構１１０と同様に、他の伸縮機構をそなえてもよい。
また、上述した開示により本実施形態を当業者によって実施・製造することが可能である。
【符号の説明】
【００５７】
１    リムーバブルケース
１００ａ    第１アーム
１００ｂ    第２アーム
１０１    スライドベース
１０１１    ガイド溝
１０２    スライドアーム
１０２１    アームレール
１０３    第１ネジ穴
１０４    第２ネジ穴
１０５    ネジ
１１０    アーム伸縮機構
２００    アームベース
２０１    ベースガイド
２０２    ベースレール
３００    フロントパネル部
３１０    第１拡張パネル
３１０１    軸３１０１
３２０    第２拡張パネル
３２１    ガイドパネル
３２１６    矩形板
３２１７ａ，３２１７ｂ    桟
３２２１    切り欠き
３２２２    突起
３２２    スライドパネル
３２０１    軸
３２１１，３２２１    軸受け突起
３２１２，３３１１，３２１３    穴
３２１４ａ，３２１４ｂ    案内溝
３２１５ａ，３２１５ｂ    係止爪
３２１６    矩形板
３２１７ａ，３２１７ｂ    桟
３３２    弾性板
３３２１    突起  
２ａ    ２．５インチＨＤＤ（第１の記憶装置，第１の被固定物）
２ｂ    ３．５インチＨＤＤ（第２の記憶装置，第２の被固定物）
【図１】
2017049855.tif 000003
【図２】
2017049855.tif 000004
【図３】
2017049855.tif 000005
【図４】
2017049855.tif 000006
【図５】
2017049855.tif 000007
【図６】
2017049855.tif 000008
【図７】
2017049855.tif 000009
【図８】
2017049855.tif 000010
【図９】
2017049855.tif 000011
【図１０】
2017049855.tif 000012
【図１１】
2017049855.tif 000013
【図１２】
2017049855.tif 000014
【図１３】
2017049855.tif 000015
【図１４】
2017049855.tif 000016
【図１５】
2017049855.tif 000017
【図１６】
2017049855.tif 000018
【図１７】
2017049855.tif 000019
【図１８】
2017049855.tif 000020
【図１９】
2017049855.tif 000021
【図２０】
2017049855.tif 000022
【図２１】
2017049855.tif 000023
【図２２】
2017049855.tif 000024
【図２３】
2017049855.tif 000025
【図２４】
2017049855.tif 000026
【図２５】
2017049855.tif 000027
【図２６】
2017049855.tif 000028
【図２７】
2017049855.tif 000029